(57)【要約】【課題】使用時にイヤホン等のコードなどの線状部材から外れ難いアクセサリ取付治具を提供すること。【解決手段】アクセサリ取付治具１は、周壁２１の軸方向に沿った開口部２７を備える筒状の保持体２と、開口部２７を閉塞するカバー体３と、保持体２又はカバー体３に備えられアクセサリＪを連結する連結部４と、を備える。開口部２７には、装飾されるイヤホン等のコードなどの線状部材が挿入される。保持体２は、弾性部材から形成され、弾性部材の弾性力によってイヤホン等のコードなどの線状部材を保持し、カバー体３によって開口部２７が閉塞される。【選択図】図１
0003219796.tif 000002
【実用新案登録請求の範囲】
【請求項１】
周壁の軸方向に沿った開口部を備える筒状の保持体と、該開口部を閉塞するカバー体と、該保持体又はカバー体に備えられアクセサリを連結する連結部と、を備え、
該開口部には、装飾される線状部材が挿入され、
該保持体は、弾性部材から形成され、該弾性部材の弾性力によって該線状部材を保持し、該カバー体によって該開口部が閉塞されることを特徴とするアクセサリ取付治具。
【請求項２】
前記カバー体は、前記保持体の周方向略半分を覆う、略半円環柱状体であり、
該カバー体の周方向の両端側に、それぞれ軸方向に延びる、前記保持体を係止する係合爪を備え、
前記保持体の前記開口部の周方向の両側に、それぞれ軸方向に延びる、該係合爪のそれぞれが係止される係合溝を備えていることを特徴とする請求項１に記載のアクセサリ取付治具。
【請求項３】
前記カバー体は、硬質部材から形成されていることを特徴とする請求項２に記載のアクセサリ取付治具。
【請求項４】
前記カバー体の前記係合爪どうしの間隔と、前記保持体の前記係合溝どうしの間隔が、各々、軸方向における一端部側が他端部側より広く形成されていることを特徴とする請求項２又は３に記載のアクセサリ取付治具。
【考案の詳細な説明】
【技術分野】
【０００１】
本考案は、イヤホン又はヘッドホンのコードなどの線状部材に、アクセサリを取り付けるアクセサリ取付治具に関する。
【背景技術】
【０００２】
屋外で人が携帯音楽プレーヤを使用する際には、周囲に音を漏らさないようにするために、イヤホン又はヘッドホン（以下、イヤホン等とする。）が使用される。また、ハンズフリ状態で人が携帯端末を使用する際にも、イヤホン等が使用される。イヤホン等は、人の顔周辺に取り付けられるため、装飾の対象として適している。
【０００３】
特許文献１には、イヤホン等のコードに取り付けることが可能なアクセサリ取付治具が記載されている。このアクセサリ取付治具は、弾性素材からなり、弾性素材に形成された細溝部にコードを嵌め込むことによって、イヤホン等のコードに容易に取り付けることができるものである。
【先行技術文献】
【特許文献】
【０００４】
【特許文献１】特開２００７−１４２５３８号公報
【考案の概要】
【考案が解決しようとする課題】
【０００５】
しかし、特許文献１に記載された従来のアクセサリ取付治具は、弾性素材の弾性を利用して、弾性素材に形成された細溝部に容易にコードを嵌め込むことができるものの、イヤホン等のコードに対する保持力も弾性素材の弾性力に頼っているものであった。つまり、従来のアクセサリ取付治具は、イヤホン等のコードに取り付けてイヤホン等を使用している場合において、弾性素材に外力が加わった際に、外れるおそれがあるという課題があった。
【０００６】
本考案は、この課題を解決するものであり、使用時にイヤホン等のコードから外れ難いアクセサリ取付治具を提供すること、を目的とする。
【課題を解決するための手段】
【０００７】
本考案に係るアクセサリ取付治具は、周壁の軸方向に沿った開口部を備える筒状の保持体と、該開口部を閉塞するカバー体と、該保持体又はカバー体に備えられアクセサリを連結する連結部と、を備え、
該開口部には、装飾される線状部材が挿入され、
該保持体は、弾性部材から形成され、該弾性部材の弾性力によって該線状部材を保持し、該カバー体によって該開口部が閉塞されることを特徴とする。
【０００８】
本考案のアクセサリ取付治具によれば、開口部から挿入されたイヤホン等のコードなどの線状部材を、弾性部材から形成された保持体が弾性力によって保持し、開口部がカバー体によって閉塞される。開口部がカバー体によって閉塞されているため、使用時にイヤホン等のコードなどの線状部材から外れ難いものとすることができる。
【０００９】
ここで、上記アクセサリ取付治具において、前記カバー体は、前記保持体の周方向略半分を覆う、略半円環柱状体であり、
該カバー体の周方向の両端側に、それぞれ軸方向に延びる、前記保持体を係止する係合爪を備え、
前記保持体の前記開口部の周方向の両側に、それぞれ軸方向に延びる、該係合爪のそれぞれが係止される係合溝を備えている、構成とすることができる。
【００１０】
これによれば、カバー体に、係合爪がそれぞれ軸方向に亘って備えられ、保持体に、係合爪と嵌着する係合溝が、それぞれ軸方向に亘って備えられている。このため、保持体の開口部をカバー体によって閉塞させるとき、カバー体の軸方向一端部側の係合爪のそれぞれの端部を、保持体の軸方向他端部側のそれぞれの係合溝にスライドさせながら一端部側に挿入させ、カバー体を保持体に嵌着させる（以下、スライド嵌着と略すことがある。）ことができる。
【００１１】
また、上記アクセサリ取付治具において、前記カバー体は、硬質部材から形成されている、構成とすることができる。
【００１２】
これによれば、保持体が弾性部材から形成され、カバー体が硬質部材から形成されているため、カバー体の保持体への他の嵌着方法として、保持体の開口部の外側から、カバー体を中心軸方向に強く押圧することにより、係合爪が保持体を内側に弾性変形させ、それぞれの係合爪がそれぞれの係合溝に嵌着させる（以下、押圧嵌着と略すことがある。）ことができる。
【００１３】
また、上記アクセサリ取付治具において、前記カバー体の前記係合爪どうしの間隔と、前記保持体の前記係合溝どうしの間隔が、各々、軸方向における一端部側が他端部側より広く形成されている、構成とすることができる。
【００１４】
これによれば、カバー体の一端部側の係合爪の間隔が、保持体の他端部側の係合溝の間隔より、広いため、スライド嵌着させる際にゆとりが生じる。このため、容易にスライド嵌着を行なうことができる。
【考案の効果】
【００１５】
本考案のアクセサリ取付治具によれば、使用時にイヤホン等のコードなどの線状部材から外れ難くすることができる。
【図面の簡単な説明】
【００１６】
【図１】本考案のアクセサリ取付治具をイヤホンのコードに取り付けた状態のの斜視図である。
【図２】同アクセサリ取付治具の保持体の後方からの斜視図である。
【図３】同アクセサリ取付治具のカバー体の前方からの斜視図である。
【考案を実施するための形態】
【００１７】
以下、本考案のアクセサリ取付治具の実施形態を図面に基づいて説明する。図１〜３に示すように、実施形態のアクセサリ取付治具１は、周壁２１の軸方向に沿った開口部２７を備える筒状の保持体２と、開口部２７を閉塞するカバー体３と、保持体２又はカバー体３に備えられアクセサリＪを連結する連結部４と、を備える。開口部２７には、装飾されるイヤホン等のコードなどの線状部材が挿入される。保持体２は、弾性部材から形成され、弾性部材の弾性力によってイヤホン等のコードなどの線状部材を保持し、カバー体３によって開口部２７が閉塞される。なお、本明細書において、記載する上下は、アクセサリ取付治具１の使用状態での上下であり、図１に示すように、コードＣのイヤホンＳ側が上であり、その反対側が下である。なお、上側を一端部側、下側を他端部側と、表記することがある。前後は、保持体２の開口部２７を備える側を後ろとし、その反対側を前とし、左右は、アクセサリ取付治具１の前側をその前方から見たときの左右である。
【００１８】
保持体２は、図２に示すように、筒状体であり、筒状体の周壁２１の軸方向にコードＣが挿入される周壁２１の上端から下端まで貫通した開口部２７を備え、弾性部材であるシリコーン系樹脂から形成されている。コードＣは、開口部２７から挿入され、保持体２の内孔２６に配置され、弾性部材から形成された保持体２の弾性力によって保持される。開口部２７の左右両側（周方向の両側）には、上から下（一端部側から他端部側）に亘って、カバー体３と嵌合する嵌合凸部２２が形成され、左側の嵌合凸部２２の左側と右側の嵌合凸部２２の右側のそれぞれに、上から上下方向略半分まで、後述するカバー体３の左右両側の係合爪３３とそれぞれ嵌着する係合溝２３が、備えられている。
【００１９】
嵌合凸部２２の左右両側の上下に亘る端部２２ａから半径方向外側に向かって立ち上がるカバー受面２４がそれぞれ設けられている。カバー受面２４は、後述するカバー体３の左右両側の当接面３４がそれぞれ当接する。カバー受面２４から後方が内孔２６を覆う周壁２１からなる嵌合凸部２２を形成し、カバー受面２４から前方の保持体２は、嵌合凸部２２より周壁２１が半径方向に厚い厚壁部２５が形成されている。保持体２は、後方の周壁２１の薄い嵌合凸部２２を覆うようにカバー体３が嵌着されることによって、カバー体３の外周と保持体２の厚壁部２５の外周とが一体となり、図１に示す如く、滑らかな外周のアクセサリ取付治具１を形成する。
【００２０】
カバー体３は、図１に示すように、保持体２の後方略半分の嵌合凸部２２を後方から覆い、開口部２７を閉塞する、略半円環柱状体であり、硬質部材であるアクリル系樹脂から形成されている。カバー体３は、図３に示すように、左右の両端部の内側に、それぞれ上下方向（軸方向）に沿って、係合溝２３に嵌着する係合爪３３を、上から上下方向略半分まで備えている。カバー体３の内側には、保持体２の嵌合凸部２２と嵌合する、嵌合凹部３２が設けられている。係合爪３３が保持体２の係合溝２３に嵌着することによって、カバー体３の嵌合凹部３２が保持体の嵌合凸部２２に嵌合し、コードＣが配置された内孔２６の開口部２７を閉塞する。
【００２１】
図２，３に示すように、保持体２にそれぞれ設けられた係合溝２３の間隔Ｐ１〜Ｐ２と、カバー体３にそれぞれ設けられた係合爪３３の間隔Ｐ３〜Ｐ４は、各々、上端部に行くほど徐々に広くなるように形成されている。これにより、カバー体３の係合爪３３の上方を、保持体２の係合溝２３の下方に当接させ、カバー体の係合爪３３のそれぞれの上側の端部３３ａを、保持体のそれぞれの係合溝２３にスライドさせながら、カバー体３を、保持体２の下方から上方に嵌着させる（スライド嵌着）。このとき、カバー体３の上側の係合爪３３の上側の端部３３ａの間隔Ｐ３が保持体２の下側の係合溝２３の間隔Ｐ２より広いため、スライド嵌着させるときにゆとりが生じ、容易に嵌着を行なうことができる。
【００２２】
連結部４は、アクセサリ取付治具１ひいてはイヤホン等のコードＣに、アクセサリＪを連結するリング形状の部材であり、カバー体３の下端部側に取り付けられている。アクセサリＪは、図１の如く、チェーンで連結されたアクセサリを使用し、リング形状の連結部４にチェーンの末端を連結させた。
【００２３】
次に、実施形態のアクセサリ取付治具１の使用方法について述べる。図１に示すように、イヤホン等のコードＣへのアクセサリ取付治具１の取付けは、先ず、コードＣに保持体２を取り付ける。すなわち、保持体２の開口部２７から内孔２６に、コードＣを挿入して配置させる。このとき、保持体２が弾性部材から形成されているため、保持体２を弾性変形させて開口部２７の隙間を拡げることができ、開口部２７の隙間よりもコードＣの外径が大きい場合であっても、保持体２の内孔２６にコードＣを配置させることができる。
【００２４】
次に、保持体２にカバー体３を、スライド嵌着又は押圧嵌着によって、嵌着させる。
【００２５】
スライド嵌着では、カバー体３の係合爪３３の上方を、保持体２の係合溝２３の下方に当接させ、カバー体３を保持体２の下方から上方にスライドさせて嵌着させる。このとき、係合爪３３が係合溝２３によってガイドされるため、容易にカバー体３を保持体２に嵌着させることができる。また、保持体２の係合溝２３の間隔Ｐ１〜Ｐ２と、カバー体３の係合爪３３の間隔Ｐ３〜Ｐ４は、各々、上端部側が下端部側より広く形成されているため、スライド嵌着させるとき、容易に嵌着を行なうことができる。なお、係合爪３３が係合溝２３に係合する前は、カバー体３は、カバー体３の当接面３４が保持体２のカバー受面２４に当接・摺動することによってガイドされる。
【００２６】
押圧嵌着では、カバー体３の嵌合凹部３２側を、保持体２の嵌合凸部２２に、後方から押し当て、カバー体３を保持体２の中心軸方向に強く押圧する。このとき、保持体２が弾性部材から形成され、カバー体３が硬質部材から形成されているため、係合爪３３が保持体２を内側に弾性変形させられ、係合爪３３をワンアクションで係合溝２３に嵌着させることができる。
【００２７】
カバー体３が保持体２に嵌着したとき、カバー体３の当接面３４が保持体２のカバー受面２４に当接し、カバー体３と保持体２は、一体化したアクセサリ取付治具１を形成する。つまり、保持体２の前方は、嵌合凸部２２より周壁２１が厚い厚壁部２５が形成され、保持体２の後方の周壁２１の薄い嵌合凸部２２を覆うように、カバー体３が嵌着されることによって、カバー体３の外周と保持体２の前方の厚壁部２５の外周とが一体となり、図１に示す如く、滑らかな外周のアクセサリ取付治具１を形成する。
【００２８】
また、カバー体３が保持体２に嵌着したとき、保持体２の開口部２７がカバー体によって閉塞され、弾性部材から形成された保持体２が弾性力によって内孔２６に配置されたコードＣを保持する。開口部２７がカバー体３によって閉塞されているため、使用時に、アクセサリ取付治具１は、コードＣから外れ難いものとすることができる。
【００２９】
なお、実施形態のアクセサリ取付治具１は、以下のような形態であっても実施することができる。
【００３０】
実施形態の保持体２を形成する樹脂には、弾性部材としてシリコーン系樹脂を使用したが、弾性部材として、ウレタン系樹脂、オレフィン系樹脂なども適宜使用することができる。なお、オレフィン系樹脂には、もちろん、フッ素系樹脂も含まれる。
【００３１】
実施形態のカバー体３を形成する樹脂には、硬質部材としてアクリル系樹脂を使用したが、硬質部材として、スチレン系樹脂、ポリプロピレン系樹脂及びＡＢＳ系樹脂なども適宜使用することができる。
【００３２】
実施形態のアクセサリＪには、チェーンで連結されたアクセサリを使用したが、アクセサリＪとして、連結部４に連結可能なアクセサリであれば使用可能であり、イヤリング、ピアス、携帯電話のストラップなどの市販のアクセサリを使用することができる。
【００３３】
実施形態のアクセサリ取付治具１は、装飾の対象としてイヤホン等のコードＣに取り付けたが、線状部材の紐状部材として、コンピュータのマウスなどのコード、携帯端末などに取り付けるストラップなど、棒状部材として眼鏡のフレームなどにも装飾の対象として取り付けることができる。
【００３４】
実施形態のアクセサリ取付治具１では、連結部４をカバー体３に備えたが、連結部４を保持体２に備えることもできる。また、連結部４を保持体２とカバー体３とにそれぞれ備えることもできる。また、連結部４は、保持体２又はカバー体３と一体的に備えても良い。例えば、連結部４は、保持体２又はカバー体３に形成された孔としても良い。
【符号の説明】
【００３５】
１…アクセサリ取付治具、２…保持体、３…カバー体、４…連結部、２１…周壁、２２…嵌合凸部、２２ａ…端部、２３…係合溝、２４…カバー受面、２５…厚壁部、２６…内孔、２７…開口部、３２…嵌合凹部、３３…係合爪、３３ａ…端部、３４…当接面、Ｃ…コード、Ｊ…アクセサリ、Ｐ…間隔、Ｓ…イヤホン。
【図１】
0003219796.tif 000003
【図２】
0003219796.tif 000004
【図３】
0003219796.tif 000005